(57)【要約】      （修正有）【課題】ロールペーパー（トイレ用、クッキング用、等）を収納して、使用の際ペーパーが軽快に取り出しやすく、好きな長さに裁断が出きる収納箱で、ティッシュペーパーのように部屋に置いても抵抗ないデザイン上、機能性上、耐久性上、経済性上に、勝れたロールペーパーボックスを提供する。【解決手段】ロールペーパーボックスの天板面はじの一辺で、紙を切ることによって裁断がしやすく切った後わずかに紙が残るので次を引き出しやすい機能性となる。そして構造がシンプルなため飽きのこないデザインであり、いろいろな素材で製作が可能なので、このみや経済性を考えて作れる。強度の弱い素材でも補強することで問題を解決できる。【選択図】図３−（ｂ）
0003118518.tif 000002
【実用新案登録請求の範囲】
【請求項１】
ロールペーパー（トイレ用、クッキング用、等）を収納して、使用の際ペーパーが軽快に取り出しやすく、すきな長さに、裁断が出きる収納箱で、ティッシュペーパーのように部屋に置いても抵抗なく、経済性、機能上、デザイン上、耐久性上、勝れていることを特徴とするロールペーパーボックス。
【考案の詳細な説明】
【技術分野】
【０００１】  本考案は、ロールペーパー（トイレ用、クッキング用、等）を収納して、すきな長さだけ取り出し、裁断して使用する。いわゆるティッシュ感覚で、どこでも手軽にロールペーパーを使用できる収納箱に関するものである。
［背景技術］【０００２】  ティッシは、トイレットペーパーにくらべて高価であり、１枚１枚取り出すため、１枚も必要のない時でも、１枚使用することとなり資源のむだである。従ってティッシュを使用せずトイレットペーパーを使用すれば、経済的であるが、トイレットペーパーをトイレ以外の部屋で使用する際これを入れて使用できるデザイン的、機能的に、すぐれた収納箱がなかった。又、クッキングペーパー収納箱の従来のものは、紙で出きているものだけで強度がない。
［考案の開示］
［考案が解決しようとする課題］【０００３】  ロールペーパー（トイレ用、クッキング用、等）が、ティッシ感覚で手軽に使用できるように、ロールペーパー（トイレ用）のイメージを払拭できるデザインで、機能性があり、クッキング用になかった耐久性に勝れた物を提供することを目的としている。
又、公開特許公報に、似た物がありその公報にあった図１は、紙を切ったあと次の紙を引きだすのに出しにくく、本体が大がかりで場所を取る。図２は、紙の引き出し口が中央にあるため引きだして裁断しにくく、手でささえが必要となることや、図１と同じく次の紙を引きだすのに出しにくい。さらに、図１と図２ともに、ロールペーパーの回転軸があるため紙の収納が不便であり、コスト高になる。そのため、これらを解決しようとするものである。
［考案を解決するための手段］【０００４】  本考案は、ロールペーパー（トイレ用、クッキング用、等）を収納することで、その存在を消すことが出きる。そして、機能上は、ロールペーパーが、箱から出てくる口と裁断する鋸刃を、はなすことによって、箱の外に紙が残り次が取り出しやすくなる。そして、紙の裁断には、直方体であるロールペーパーボックスの天上面はじ一辺の角が適しており問題を解決できる。又、ロールペーパーの芯に通す回転軸がないことによって、収納が便利となる。さらに、箱の素材は、プラスチック、金属、セラミックス、紙、布、木など自然素材、等、多くの素材で、加工が可能な形態であり、このみや、経済性を考えて作ることができる。ただし紙など強度の弱い物は、１部または、全部の辺に金属等の補強をすることによって問題を解決している。
［考案の効果］【０００５】  本考案のロールペーパーボックスは、ロールペーパーの存在を、消すことが出き部屋に置いても抵抗なくティッシュ感覚で使用できる。さらに、紙の裁断がしやすく、裁断後も次を取り出しやすいので、使い勝手に、勝れている。又、強度も勝れているので長く使用が、可能となる。
［考案の実施するための最良の形態］【０００６】  ロールペーパー１個が、ちょうど収納可能な大きさで、直方体の形態をなす。この天上面は大きな板と、小さな板が、多少かさなり上に観音開きとなる。そしてここがロールペーパーの出し入れとなる。さらに小さな板側の一辺には、鋸刃が取り付けてあり紙の裁断となる。又、大きな板の裏には、紙が逆もどりしないようにストッパーが付いている。
［実施例］【０００７】  以下、添付図面に従って一実施例を説明します。図３−（ａ）は、ロールペーパーをロールペーパーボックスに収納する図であり天板Ａと天板Ｂが上方に観音開きとなりそこからロールペーパーを収納する。天板Ｂを閉じたらロールペーパーのはしを乗せて天板Ａを閉じると図３−（ｂ）となり使用可能となる。【０００８】  図４−（ａ）は、使用する時の断面図であり、図３−（ｂ）でセットされたロールペーパーのはしを引き、使いたい長さで鋸刃１で切る。そして、図４−（ｂ）は、紙を切った後の図で、天板Ｂの上に紙が残っており次を引きだしやすい。又、天板Ａの裏には、紙の逆もどりを防せぐストッパー２が付いているため紙が中にもどらない。【０００９】  ロールペーパーボックスに使われる素材で、厚紙の場合は金属等の補強材３を図５−（ａ）にしめした４か所でも十分な補強となる。又、布などは、図５−（ｂ）のように全辺と縁に補強をすることで強度を保てる。
【図面の簡単な説明】
【００１０】［図１］公開特許公報にある特開２００４−３１５５８北見房之様の考案図である
［図２］公開特許公報にある特開２００２−１７６０９阿久澤貴志様の考案図である
［図３−（ａ）］本考案のロールペーパーボックスにロールペーパーを収納しようとしている図である
［図３−（ｂ）］本考案のロールペーパーボックスにロールペーパーが収納された図である
［図４−（ａ）］本考案ロールペーパーボックスの断面図で、使用している図である
［図４−（ｂ）］本考案ロールペーパーボックスの断面図で、紙を裁断あとの図である
［図５−（ａ）］本考案ロールペーパーボックスの素材が、厚紙などでの場合の補強箇所図である
［図５−（ｂ）］本考案ロールペーパーボックスの素材が、布などでの場合の補強箇所図である
【符号の説明】
【００１１】Ａ    天板  大
Ｂ    天板  小
１    鋸刃
２    ストッパー
３    補強材
ＲＰ  ロールペーパー
【図１】
0003118518.tif 000003
【図２】
0003118518.tif 000004
【図３−（ａ）】
0003118518.tif 000005
【図３−（ｂ）】
0003118518.tif 000006
【図４−（ａ）】
0003118518.tif 000007
【図４−（ｂ）】
0003118518.tif 000008
【図５−（ａ）】
0003118518.tif 000009
【図５−（ｂ）】
0003118518.tif 000010
【手続補正書】
【提出日】平成17年6月2日(2005.6.2)
【手続補正１】
【補正対象書類名】実用新案登録請求の範囲
【補正対象項目名】全文
【補正方法】変更
【補正の内容】
［書類名］  実用新案登録請求の範囲
［請求項１］
ロールペーパーを１個収納できる大きさの直方体で、天上面が観音開きとなることで投入口となり、天上面の一辺に鋸刃が取り付けてあることでペーパーの裁断手段となり、天上面の裏には、ペーパーの逆もどりをふせぐストッパーが付いた形態を、特徴とするロールペーパーボックス。